(57)【要約】【課題】滑り難くて、手に馴染むような、操作性やフィット感に優れたゴルフクラブ用のグリップを提供する。【解決手段】グリップ１０の主体部１２の外表面の一部には多数の突起部２０を含む突起部２０を形成する。多数の突起部２０を、グリップ１０を握ったときに、少なくともグリップエンド１４に近い側の手の中指、薬指、小指の付け根２６から第一関節２８までの間の指の表面に多数の突起部２０接触させる。また、多数の突起部２０を、グリップエンドに遠い側の手の人指し指、中指、薬指の付け根２６ら第一関節２８までの間の指の表面に接触させても良い。多数の突起部２０は、グリップ１０をしっかり握る指に接触して、それらの指に多数の突起部２０が食い込むので、グリップ１０とそのグリップ１０を握った手との固定状態が強まり、手がグリップから滑るおそれを防止することができる。【選択図】図１
2011030938.tif 000002
【特許請求の範囲】
【請求項１】
略円筒状の主体部を有するものであって、前記主体部を両手で握ったときに、前記主体部の外表面のうちグリップエンドに近い側の手の中指、薬指、小指の付け根の位置から第一関節位置までの間の指の表面が接触する位置に、前記主体部の外表面から外方に突出する多数の突起部を形成した突起領域を設けることを特徴とするゴルフクラブ用グリップ。
【請求項２】
前記突起領域を、グリップエンドに近い側の手の中指、薬指、小指の付け根の位置から手のひらの表面の感情線の位置までの間の領域のうち、前記付け根に近い側の少なくとも半分と接触する位置まで広げることを特徴とする請求項１記載のゴルフクラブ用グリップ。
【請求項３】
前記主体部を両手で握ったときに、前記主体部の前記外表面のうちグリップエンドから遠い側の手の人指し指、中指、薬指の付け根の位置から第一関節位置までの間の指の表面が接触する位置に、前記主体部の外表面から外方に突出する多数の突起部を形成した領域を設けることを特徴とする請求項１または２記載のゴルフクラブ用グリップ。
【請求項４】
前記突起領域を、グリップエンドから遠い側の手の人指し指、中指、薬指の付け根の位置から手のひらの表面の感情線の位置までの間の領域のうち、前記付け根に近い側の少なくとも半分と接触する位置まで広げることを特徴とする請求項３記載のゴルフクラブ用グリップ。
【請求項５】
前記突起領域の厚みを前記主体部の他の領域よりも薄く形成したことを特徴とする請求項１乃至４のいずれかに記載のゴルフクラブ用グリップ。
【請求項６】
前記突起部の先端の位置を前記他の領域の外表面の高さより突出させることを特徴とする請求項５記載のゴルフクラブ用グリップ。
【請求項７】
前記突起部の先端の位置を前記他の領域の外表面の高さに合わせることを特徴とする請求項５記載のゴルフクラブ用グリップ。
【請求項８】
前記突起部の高さが０．３ｍｍ〜１．０ｍｍであることを特徴とする請求項１乃至７のいずれかに記載のゴルフクラブ用グリップ。
【請求項９】
前記突起部の高さが０．４５ｍｍ〜０．７ｍｍであることを特徴とする請求項８記載のゴルフクラブ用グリップ。
【請求項１０】
前記主体部を両手で握ったときに、前記主体部の前記外表面のうちグリップエンドから遠い側の手の親指が接触する位置に前記突起部を形成しないことを特徴とする請求項１乃至９のいずれかに記載のゴルフクラブ用グリップ。
【請求項１１】
前記主体部を両手で握ったときに、前記主体部の前記外表面のうちグリップエンドに近い側の手の親指が接触する位置に前記突起部を形成しないことを特徴とする請求項１０記載のゴルフクラブ用グリップ。
【請求項１２】
平面から見たものであって前記突起領域全体の面積に対する前記突起部における指に触れる箇所の面積の比率を、前記突起領域全体の面積の２５％以下としたことを特徴とする請求項１乃至１１のいずれかに記載のゴルフクラブ用グリップ。
【請求項１３】
前記突起部の先端を丸みを帯びた形状としたことを特徴とする請求項１乃至１２のいずれかに記載のゴルフクラブ用グリップ。
【請求項１４】
前記突起部が前記主体部の外表面に沿った棒状か波状であり、棒状か波状の前記多数の突起部の長手方向が、前記主体部の長手方向に対して３０度〜６０度に傾斜させたことを特徴とする請求項１乃至１３のいずれかに記載のゴルフクラブ用グリップ。
【請求項１５】
前記突起部の長手方向が、前記主体部の長手方向に対して、傾斜方向を交互に変えることを特徴とする請求項１４記載のゴルフクラブ用グリップ。
【請求項１６】
前記突起部の複数個を近接して配置し、前記近接して配置した突起部の複数個毎に、前記主体部の長手方向に対して、傾斜方向を交互に変えることを特徴とする請求項１４記載のゴルフクラブ用グリップ。
【請求項１７】
前記突起領域が前記主体部の前記外表面の面積全体の５％以上５０％未満であることを特徴とする請求項１乃至１６のいずれかに記載のゴルフクラブ用グリップ。
【発明の詳細な説明】
【技術分野】
【０００１】
本発明は、ゴルフクラブのシャフト等に取り付けるゴルフクラブ用グリップに関するものである。
【背景技術】
【０００２】
従来から、ゴルフクラブのシャフトの先端には、両手で握るためのグリップが固定されている。ゴルフクラブのグリップは、力を伝達して正確な軌道でスイングするために非常に重要視されるものであるため、ゴルフクラブを両手で握った状態において、手が滑りにくいことや手触りの良さ等、操作性やフィット感が、高いレベルで求められている。
そのため、一般的には、ゴルフクラブのグリップはゴムや合成樹脂等の滑り難く、弾性を有し、手に馴染み易い材料で形成されており、ゴルフクラブを握り易くするためとゴルフクラブが手から抜難くするために、後端部分側（グリップエンド）から先端部分側にかけて緩やかなテーパ状(グリップエンド側が径大)にしたり、外表面には滑り止め用の多数の溝や凹みが形成されたりしている（特許文献１）。
【先行技術文献】
【特許文献】
【０００３】
【特許文献１】特開平０９−１８７５４０号公報
【発明の概要】
【発明が解決しようとする課題】
【０００４】
しかしながら、上記種々の工夫を凝らしても、グリップに対するプレイヤーの要求する操作性やフィット感を満足するためには十分とは言い難い。特にゴルフ初心者にとっては、グリップを握る力が安定していないため、従来のグリップでは、握り難かったり、滑り易かったりして、インパクト時にクラブヘッドがぶれてフックボールやスライスボール等のミスショットを誘発してしまう傾向があった。また、雨天時等は、グリップが余計に滑り易くなるため、スイングの際にゴルフクラブが手から抜けて飛び出すこともあり危険であった。
【０００５】
そこで、本発明は、初心者でも、手に馴染んで滑り難く、操作性に優れたゴルフクラブ用のグリップを提供することを目的とする。
【課題を解決するための手段】
【０００６】
本発明に係るゴルフクラブ用グリップは、略円筒状の主体部を有するものであって、前記主体部を両手で握ったときに、前記主体部の外表面のうちグリップエンドに近い側の手の中指、薬指、小指の付け根の位置から第一関節位置までの間の指の表面が接触する位置に、前記主体部の外表面から外方に突出する多数の突起部を形成した突起領域を設けることを特徴とするものである。本発明は、前記突起領域を、グリップエンドに近い側の手の中指、薬指、小指の付け根の位置から手のひらの表面の感情線の位置までの間の領域のうち、前記付け根に近い側の少なくとも半分と接触する位置まで広げることを特徴とするものである。本発明は、前記主体部を両手で握ったときに、前記主体部の前記外表面のうちグリップエンドから遠い側の手の人指し指、中指、薬指の付け根の位置から第一関節位置までの間の指の表面が接触する位置に、前記主体部の外表面から外方に突出する多数の突起部を形成した領域を設けることを特徴とするものである。本発明は、前記突起領域を、グリップエンドから遠い側の手の人指し指、中指、薬指の付け根の位置から手のひらの表面の感情線の位置までの間の領域のうち、前記付け根に近い側の少なくとも半分と接触する位置まで広げることを特徴とするものである。本発明は、前記突起領域の厚みを前記主体部の他の領域よりも薄く形成したことを特徴とするものである。本発明は、前記突起部の先端の位置を前記他の領域の外表面の高さより突出させることを特徴とするものである。本発明は、前記突起部の先端の位置を前記他の領域の外表面の高さに合わせることを特徴とするものである。本発明は、前記突起部の高さが０．３ｍｍ〜１．０ｍｍであることを特徴とするものである。本発明は、前記突起部の高さが０．４５ｍｍ〜０．７ｍｍであることを特徴とするものである。本発明は、前記主体部を両手で握ったときに、前記主体部の前記外表面のうちグリップエンドから遠い側の手の親指が接触する位置に前記突起部を形成しないことを特徴とするものである。本発明は、前記主体部を両手で握ったときに、前記主体部の前記外表面のうちグリップエンドに近い側の手の親指が接触する位置に前記突起部を形成しないことを特徴とするものである。本発明は、平面から見たものであって前記突起領域全体の面積に対する前記突起部が指に触れる面積の比率を、前記突起領域全体の面積の２５％以下としたことを特徴とするものである。本発明は、前記突起部の先端を丸みを帯びた形状としたことを特徴とするものである。本発明は、前記突起部が前記主体部の外表面に沿った棒状か波状であり、棒状か波状の前記多数の突起部の長手方向が、前記主体部の長手方向に対して３０度〜６０度に傾斜させたことを特徴とするものである。本発明は、前記突起部の長手方向が、前記主体部の長手方向に対して、傾斜方向を交互に変えることを特徴とするものである。本発明は、前記突起部の複数個を近接して配置し、前記近接して配置した突起部の複数個毎に、前記主体部の長手方向に対して、傾斜方向を交互に変えることを特徴とするものである。本発明は、前記突起領域が前記主体部の前記外表面の面積全体の５％以上５０％未満であることを特徴とするものである。本発明は、前記主体部において前記突起領域以外の平坦領域外表面に、多数の凹みまたは多数の溝の少なくとも一方を形成したことを特徴とするものである。
【発明の効果】
【０００７】
本発明に係るゴルフクラブ用グリップは、主体部を両手で握ったときに、グリップエンドに近い側の手の中指、薬指、小指の付け根位置から第一関節位置までの間の指の表面（腹）が接触する位置に、多数の突起部を形成した領域を設けるものである。グリップエンドに近い側の手では、中指、薬指、小指がグリップをしっかり握る重要な指であるので、それらの指の付け根位置から第一関節位置までの間の指の表面に多数の突起部を接触させることで、多数の突起部がそれらの指の表面に食い込むことになり、グリップとグリップエンドに近い側の手との固定状態を強化させ、グリップエンドに近い側の手がグリップから滑るのを防止することができる。また、前記多数の突起部を形成した領域を、グリップエンドに近い側の手の中指、薬指、小指の３本の指の付け根から手のひらの表面の感情線までの間の領域のうち、３本の指の付け根に近い少なくとも半分に接触する位置まで拡げるようにする。これによって、グリップエンドに近い側の手がグリップから滑るのを更に防止することができる。このように、本発明では、少なくともグリップエンドに近い側の手とグリップとの滑りを防止するので、ショット時にも手が滑ることないため、スイングの安定感が増してインパクト時にヘッドがぶれることがないので、方向性を確保し正確なショットを打つことができ、的確な飛距離を出し易くなり、スコアメイクを向上させることができる。また、滑り難いので雨天時等でも安全なショットを行うことができる。
この他に、グリップエンドから遠い側の手の人指し指、中指、薬指の付け根位置から第一関節位置までの間の指の表面が接触する位置に、多数の突起部を形成した領域を設けるようにする。これによって、グリップとグリップエンドから遠い側の手との固定状態を強化させ、グリップエンドから遠い側の手もグリップから滑るのを防止することができる。グリップエンドから遠い側の手では、人指し指、中指、薬指がグリップをしっかり握る重要な指であるので、それらの指の付け根位置から第一関節位置までの間の指の表面に多数の突起部を接触させることで、多数の突起部がそれらの指の表面に食い込むことになり、グリップエンドから遠い側の手とグリップとの固定状態を強化させ、グリップエンドから遠い側の手がグリップから滑るのを防止することができる。また、前記多数の突起部を形成した領域を、グリップエンドから遠い側の手の人指し指、中指、薬指の３本の指の付け根から手のひらの表面の感情線までの間の領域のうち、３本の指の付け根に近い少なくとも半分に接触する位置まで拡げるようにする。これによって、グリップエンドに近い側の手がグリップから滑るのを更に防止することができる。
また、突起領域の厚みを他の外表面よりも薄く形成して、即ち、他の外表面よりも一段低くした領域に多数の突起部を形成する構成とし、その突起部の先端の位置を他の外表面の底面の高さに合わせることによって、滑り難いという効果はそのままに、さらに違和感なく握ることができる。突起部があると、人によっては違和感が生じる可能性もあるが、この構成であればその心配もなく、手によく馴染んでさらにフィット感が向上する。しかも、ゴルフグリップの製造においては、バリを取ったり表面を滑らかにするため、仕上げに表面を研磨する必要があるが、このように突起領域を一段低くして突起部の先端の位置を他の外表面の底面の高さと同等かそれ以下にしておくことにより、研磨工程の際、その突起領域に形成された突起部が磨耗するのを防ぐことができ、製造し易くなるという利点もある。
【０００８】
本発明では、突起部の高さを０．３ｍｍ〜１．０ｍｍとする。なお、突起部の高さの最良の範囲としては、０．４５ｍｍ〜０．７ｍｍとすることで、突起部に接触する指や手のひらに違和感を感じさせることなく、グリップとの固定状態の強化を図ることができる。また、前記主体部を両手で握ったときに、グリップエンドから遠い側の手の親指が接触する主体部の外表面の位置に突起部を形成しないようにする。これによって、グリップエンドから遠い側の手の親指に違和感を感じさせないようにする。また、グリップエンドに近い側の手の親指が接触する位置に突起部を形成しないようにしても良い。また、平面から見たものであって前記突起領域全体の面積に対する前記突起部における指に触れる箇所の面積の比率を、前記突起領域全体の面積の２５％以下とすることによって、指の表面が突起部の形状に対応して変形し易くなり、好適に食い込むので、指とグリップとの密着感・安定感が高まり、滑り難くなる。また、多数の突起部が外表面に沿った棒状か波状であり、棒状か波状の多数の突起部の長手方向が、主体部の長手方向に対して３０度〜６０度に傾斜させ、更に棒状か波状の多数の突起部の長手方向が前記主体部の長手方向に対して、傾斜方向を交互に変えることによって、スイング時の手とグリップとの滑りを防止することができる。
【図面の簡単な説明】
【０００９】
【図１】本発明に係るゴルフクラブ用グリップの斜視図である。
【図２】本発明に係るゴルフクラブ用グリップのＡ−Ａ線拡大断面図である。
【図３】グリップエンドに近い側を握る手のひらを示す平面図である。
【図４】本発明に係るゴルフクラブ用グリップの使用状態を示す斜視図である。
【図５】図２のＢ方向から見たゴルフクラブ用グリップの表面の拡大平面図である。
【図６】本発明の他の実施形態に係るゴルフクラブ用グリップの拡大断面図である。
【図７】（ａ）は本発明の他の実施形態に係るゴルフクラブ用グリップの一形態を示す部分拡大断面図であり、（ｂ）は同ゴルフクラブ用グリップの他の一形態を示す部分拡大断面図である。
【図８】（ａ）は本発明の他の実施形態に係るゴルフクラブ用グリップと指との接触箇所を示す部分拡大断面図であり、（ｂ）は従来のゴルフクラブ用グリップと指との接触箇所を示す部分拡大断面図である。
【図９】図８（ａ）のＢ方向から見た突起部の指に触れる箇所を示す平面図である。
【発明を実施するための形態】
【００１０】
次に、本発明を図面に基づいて説明する。図１は本発明に係るゴルフクラブ用グリップの斜視図、図２はＡ−Ａ線拡大断面図である。グリップ１０は、略円筒状の主体部１２と、その主体部１２の一端に一体に形成されるグリップエンド１４とを有する。筒状の主体部１２の内壁面は、ゴルフクラブのシャフト１６の上端付近の外壁面に接着剤等の既知の手段で固定する。グリップエンド１４を備えたものにおいては、グリップエンド１４の中央に空気抜きの貫通穴１８を形成する。なお、本実施例では、グリップ１０には略円筒状の主体部１２にグリップエンド１４を備える構成としたが、中には略円筒状の主体部１２のみから成り、グリップエンド１４を備えないものも存在するので、その形状でも構わない。略円筒状の主体部１２は、グリップエンド１４側が相対的に径大で、グリップエンド１４と反対側が相対的に径小であるテーパ形状となっている。
【００１１】
本発明のグリップ１０の材質は、ゴム等の弾性素材を用い、特に、ＥＰＤＭ（合成ゴム）のうちのシリカを配合剤としたエチレン・α−オレフィン・ジエン共重合ゴムの架橋物とするのが好ましい。シリカを配合剤としたエチレン・α−オレフィン・ジエン共重合ゴムの架橋物は、例えば充填剤や軟化剤や加硫剤や着色剤等を必要に応じて配合したものであっても良い。従来のグリップは、素材にカーボンを含んでいるため、グリップの色は黒い色かそれに近い色に限られていたが、材質をシリカを配合剤としたエチレン・α−オレフィン・ジエン共重合ゴムの架橋物とすれば、カーボンを含まないため、グリップ１０をカラフルで明るい色にすることができる。
【００１２】
本発明のグリップ１０の主体部１２の筒状の外表面には、多数の突起部２０を形成した突起領域２２が形成される。主体部１２において、突起領域２２以外の箇所を平坦領域２４とする。突起領域２２における突起部２０以外の外表面は、平坦領域２４の外表面と同一面に設定される。突起部２０は、突起領域２２の外表面から外方向に垂直に伸びる直径約１ｍｍのピン状のもので、上部が根元よりも直径が細くなり、先端が丸み帯びたものとする（高さは後述する）。その他の突起部２０は、例えば外表面に沿った幅１ｍｍで長さが４ｍｍで横に寝かせた棒状や波状のものであっても良い（高さは後述する）。棒状や波状の突起部２０でも、上部が根元よりも直径が細くなり、先端が丸み帯びたものとする。このように、ピン状であっても棒状や波状であっても、突起部２０の先端の直径を細くしたり、丸みを帯びた形状とすることによって、グリップ１０を握ったときに、指の表面（腹）が突起部２０の形状に対応して変形し易くなり、好適に食い込むので、指とグリップ１０との密着感・安定感が高まり、滑り難くなる。
【００１３】
突起部２０の突出長さは、ピン状のものであっても、横に寝かせた棒状は波状のものであっても、その高さは０．３ｍｍ〜１．０ｍｍ（両端の数値を含む）とするのが望ましい。突起部２０の突出長さが０．３ｍｍ未満の場合には、突起部２０の突出長さが短いため、グリップ１０と手との滑り止め効果を得ることができないおそれがある。この反対に、突起部２０の突出長さが１．０ｍｍを超える場合には、突起部２０の突出長さが長すぎて、グリップ１０を握った際に、違和感を感じる場合が多い。突起部２０の突出長さは、０．４５ｍｍ〜０．７ｍｍ（両端の数値を含む）であれば、一般の大人ではどのような人でも違和感なく適応することができる。突起部２０の突出長さが０．４５ｍｍ未満では、人によっては、グリップ１０と手との滑り止め効果を得ることができない場合もある。また、突起部２０の突出長さが０．７ｍｍを超える場合には、人によっては、突起部２０の突出長さが長すぎて、グリップ１０を握った際に、違和感を感じる場合がある。
【００１４】
図１に示す多数の突起部２０を形成した突起領域２２は、グリップ１０を握ったときに、両手の人指し指、中指、薬指、小指の付け根２６(図３参照）から第一関節２８ (図３参照）までの間の指の表面に対向する箇所を含む領域である。図３は左手を示す。本発明の突起領域２２の多数の突起部２０は、少なくとも、グリップエンド１４に近い側の手の中指、薬指、小指の３本の指の付け根２６から第一関節２８までの間の指の表面（腹）と接触するものであれば良い。これは、グリップエンド１４に近い側の手の中指、薬指、小指の３本の指がグリップ１０をしっかり握ることがグリップ１０を握る基本であることから、グリップエンド１４に近い側の手の中指、薬指、小指の３本の指の付け根２６から第一関節２８までの間の指の表面（グローブ３０を付けていた場合には、そのグローブ３０の表面）に、突起領域２２に形成した多数の突起部２０を接触させる。この結果、突起領域２２に形成した多数の突起部２０が、グリップエンド１４に近い側の手の中指、薬指、小指の３本の指の付け根２６から第一関節２８までの間の指の表面（グローブ３０を付けていた場合には、そのグローブ３０の表面）に食い込み、手またはグローブ３０と本発明のグリップ１０との固定状態が強化され、スイング時の手とグリップ１０との間の滑りの発生を防止する。
【００１５】
突起領域２２に形成した多数の突起部２０と接触する箇所として次に好ましい箇所は、グリップエンド１４に近い側の手の中指、薬指、小指の３本の指の付け根２６から、手のひらの表面のうち、手相でいうところの感情線３２までの間の領域３４のうち、少なくとも半分（３本の指の付け根２６から感情線３２までの間隔のうち、指の付け根側２６の少なくとも半分）を含むものとするのが望ましい。グリップエンド１４に近い側の手でグリップ１０を握る際に、グリップエンド１４に近い側の手の中指、薬指、小指の付け根２６から第一関節２８までの間の指の表面がグリップ１０をしっかり握るが、手のひらの表面のうち中指、薬指、小指の３本の指の付け根２６から感情線３２までの間の領域３４の半分以上の箇所もグリップ１０に接触するので、この領域３４にも突起領域２２の突起部２０を接触させるのが望ましい。突起領域２２の多数の突起部２０が手のひらの表面の領域３４に食い込むので、グリップエンド１４に近い側の手またはグローブと本発明のグリップ１０との固定状態が強化され、スイング時の手とグリップ１０との間の滑りの発生を防止する。
【００１６】
なお、図１や図４に示すように、片手（グリップエンド１４に近い側の手）ではなく、グリップエンド１４から遠い側の手の人指し指、中指、薬指の指の付け根２６から第一関節２８までの間の指の表面(腹)に、突起領域２２の多数の突起部２０を接触させるようにしても良い。グリップエンド１４から遠い側の手では、人指し指、中指、薬指の付け根２６から第一関節２８までがしっかりグリップ１０を握るのである。このため、グリップエンド１４から遠い側の手では、人指し指、中指、薬指の付け根２６から第一関節２８までの指の表面に突起領域２２の多数の突起部２０を接触させる。これによって、グリップエンド１４から近い側の手だけでなく、グリップエンド１４から遠い側の手にも突起領域２２の多数の突起部２０が食い込むので、スイング時の手とグリップ１０との滑りの発生を更に防止することができる。
【００１７】
更に、グリップエンド１４から遠い側の手の人指し指、中指、薬指の３本の指の付け根２６から、手のひらの表面のうち感情線３２（その延長箇所）までの間の領域３４のうち、少なくとも半分（３本の指の付け根２６から感情線３２までの間隔のうち、指の付け根側２６の少なくとも半分）を含むものとするのが望ましい。グリップエンド１４から遠い側の手でグリップ１０を握る際に、グリップエンド１４から遠い側の手でグリップ１０をしっかり握った場合、手のひらの表面のうち人指し指、中指、薬指の３本の指の付け根２６から感情線３２までの間の領域３４の半分以上の箇所もグリップ１０に接触するので、この領域３４にも突起領域２２の突起部２０を接触させるのが望ましい。突起領域２２の多数の突起部２０が手のひらの表面の領域３４に食い込むので、グリップエンド１４から遠い側の手と本発明のグリップ１０との固定状態が強化され、スイング時の手とグリップ１０との間の滑りの発生を防止する。
【００１８】
主体部１２を両手で握ったときに、主体部１２の外表面２０のうち、グリップエンド１４とは反対側の手の親指が接触する位置に突起部２０を形成しないことが望ましい。これは、グリップエンド１４とは反対側の手の親指が多数の突起部２０に触れた場合に、その親指に突起部２０の違和感を感じる人がいるかも知れないからである。また、主体部１２を両手で握ったときに、主体部１２の外表面２０のうちグリップエンド１４に近い側の手の親指が接触する位置に突起部２０を形成しないことが望ましい。一般に、グリップエンド１４に近い側の手にはグローブ３０を嵌める人が多いが、中にはグリップエンド１４に近い側の手にグローブ３０を嵌めない人がいるので、グローブ３０を嵌めない手の親指に突起部２０の違和感を感じる人があるかも知れないからである。
【００１９】
なお、多数の突起部２０を形成した突起領域２２は、主体部１２の外表面の面積全体の５％以上５０％未満とするのが望ましい。突起領域２２が主体部１２の外表面２０の面積全体の５０％以上となると、グリップ１０の表面積に突起領域２２が半分以上を占めることになり、グリップ１０を握った際に、突起領域２２に接触する必要のない手や指の箇所が突起領域２２に形成された多数の突起部２０が接触することになり、違和感を感じる人が多くなるかもしれないからである。また、５％未満になると、突起部２０が接触する手の箇所の必要面積を得られなくなる可能性がある。なお、突起領域２２が５０％を超える場合があっても、差し支えはない。
【００２０】
次に、図５に基づいて、突起部２０について説明する。図５においては、多数の棒状（波状であっても良い）の突起部２０の複数個（例えば３個）を近接して平行に配置し、各棒状の突起部２０の長手方向が主体部１２の外表面の長手方向に対して、角度θを３０度〜６０度に傾斜して配置させたものである。更に、近接して平行に配置した多数の突起部２０毎に、主体部２０の長手方向に対して、傾斜方向を交互に変えるようにしたものである。このように、棒状の突起部２０の長手方向を主体部１２の外表面の長手方向に対して、角度θを３０度〜６０度に傾斜して配置することによって、スイング時に手やグローブ３０と棒状等の突起部２０との滑りを更に防止することができる。なお、図５においては、多数の棒状の突起部２０の３個を近接して平行に配置したが、１個の棒状の突起部２０としても良い。
【００２１】
突起部２０を形成した突起領域２２以外の箇所(平坦領域２４)の外表面に、多数の溝や凹み３６を形成しても良い。平坦領域２４に形成するものは、溝や凹みのいずれか一方だけでなく、溝と凹みの両方であっても良い。多数の溝や凹み３６は、グリップ１０の表面に模様を形成するためと、手とグリップ１０の間の滑りを若干防止するためである。しかし本発明の多数の突起部２０は、多数の溝や凹み３６と比べて、手とグリップ１０の間の滑りを格段に防止することができる。
【００２２】
ここで、他の実施形態として、図２のＡ−Ａ線拡大断面図に対応した拡大断面図を図６に示す。この図６の拡大断面図に示す通り、突起部１２０を形成する突起領域１２２の厚みを平坦領域１２４よりも薄くして、その突起領域１２０の底面１３８の位置を平坦領域１２４の外表面（底面）１４０よりも一段低くする構成としてもよい。このとき、突起部１２０の先端は、図７（ａ）の部分拡大断面図に示すように平坦領域１２４の外表面１４０と同じ高さとするか、又は、図７（ｂ）の部分拡大断面図に示すように平坦領域１２４の外表面１４０よりも若干高い位置とすることが好ましい。このような構成とすることによって、人によっては、滑り難いという効果はそのままに、さらに違和感なく握ることができ、手によく馴染んでフィット感が向上する。
【００２３】
このとき、図８（ａ）の部分拡大図に示すように、突起部１２０の先端の幅（または直径）を細くしたり、丸みを帯びた形状とすることによって、グリップ１０を握ったときに、指の表面（腹）が突起部１２０の形状に対応して変形し易くなり、好適に食い込むので、指とグリップ１１０との密着感・安定感が高まり、滑り難くなる。一方、図８（ｂ）の部分拡大図に示すように、平坦な外表面から掘り込んで模様を形成する溝や凹み１３６では、その溝や凹み１３６が広い面積を占めていたとしても、上記効果は得られず、滑り難さの面からも本発明のグリップ１１０に形成した突起部１２０とは雲泥の差が生じる。
指の表面（腹）が突起部１２０により確実に食い込むためには、突起領域１２２の全体の面積に対する突起部１２０における指に触れる箇所１２１の面積の比率を、突起領域１２２全体の面積の２５％以下とするのが望ましい。突起部１２０における指に触れる箇所１２１の面積は、図９（図８において突起領域２２をＢ方向から見た平面図）において、ハッチングで示す。図８（ｂ）に示すように、グリップ１０の表面に模様等を示すための溝や凹み１３６が形成されるが、溝や凹み１３６等の面積は、グリップの表面積の半分よりはるかに少ない面積であり、溝や凹み１３６等は積極的に、その位置に指を食い込ませるものではない。
また、突起部１２０の形状が棒状や波状であれば、握ったときの力の入れ加減によって、その長手方向に対して左右に微動することにもなり、さらにフィット感が向上する。さらに、突起領域１２２を平坦領域１２４よりも一段低くして突起部１２０の先端の位置を平坦領域１２４の外表面１４０の高さと同等かそれ以下にしておけば、ゴルフグリップの製造における仕上げの研磨工程の際に、その突起領域１２２に形成された突起部１２０が磨耗するのを防ぐことができ、製造し易くなるという利点もある。
【００２４】
次に、このゴルフクラブ用のグリップ１０の使用方法を図４に基づいて説明する。右利きの人の場合であれば、左手がグリップエンド１４に近い側の手となり、左手の中指、薬指、小指の三本の指の付け根２６から第一関節２８までの間の指の表面（グローブ３０を嵌めている場合には指の表面に接触するグローブ３０の箇所）をグリップ１０に接触させてグリップ１０を握る。この際、左手の中指、薬指、小指の三本の指の付け根２６から第一関節２８までの間の指の表面に、突起領域２２の多数の突起部２０が接触する。そして左手でグリップ１０をしっかり握ることにより、中指の三本の指の付け根２６から第一関節２８までの間の指の表面（グローブ３０を嵌めている場合には指の表面に接触するグローブ３０の箇所）に多数の突起部２０が食い込み、グリップエンド１４に近い側の手である左手とグリップ１０との固定状態が強化され、スイング時にグリップエンド１４に近い側の手である左手とグリップ１０との滑りを防止することができる。この際に、左手の手のひらの表面のうち、中指、薬指、小指の３本の指の付け根２６から感情線３２までの間の領域３４（グローブ３０を嵌めている場合には手のひらに接触するグローブ３０の箇所）に多数の突起部２０を接触させることで、左手とグリップ１０との滑りを更に防止することができる。また、グリップエンド１４より遠い側の手である右手の人指し指、中指、薬指の指の付け根２６から第一関節２８までの間の指の表面に、突起領域２２に形成した多数の突起部２０を接触させる。これによって、グリップエンドより遠い側の手である右手とグリップ１０との滑りを防止することができる。
【００２５】
グリップエンド１４に近い側の手の中指、薬指、小指の指の付け根２６から第一関節２８までの間の指の表面に、突起領域２２の多数の突起部２０を接触させるようにし（人指し指を省略）、グリップエンド１４から遠い側の手の人指し指、中指、薬指の付け根２６から第一関節２８までの間の指の表面に、突起領域２２の多数の突起部２０を接触させるようにした（小指を省略）のは、グリップエンドに近い側の手の人指し指がグリップエンドから遠い側の手の小指と絡み合わせるインターロッキング方式でグリップ１０を握った場合、絡み合わせた一対の指が突起領域２２に形成した多数の突起部２０を接触しなくなるからである。なお、グリップエンドに近い手の人指し指がグリップエンドから遠い側の手の小指と絡み合わせないテンフィンガーグリップの場合、親指を除く全ての指に突起領域２２の多数の突起部２０を接触させるようにすることが望ましい。
【産業上の利用可能性】
【００２６】
本発明のゴルフクラブ用グリップを利用すれば、ゴルフクラブのグリップとプレーヤーの手とが従来より滑らなくなるので、ゴルフを安全快適に楽しむことができる。
【符号の説明】
【００２７】
１０    グリップ
１２    主体部
１４    グリップエンド
２０    突起部
２２    突起領域
２６    付け根
２８    第一関節
３２    感情線
３４    領域
１２１  突起部において指が触れる箇所
【図１】
2011030938.tif 000003
【図２】
2011030938.tif 000004
【図３】
2011030938.tif 000005
【図４】
2011030938.tif 000006
【図５】
2011030938.tif 000007
【図６】
2011030938.tif 000008
【図７】
2011030938.tif 000009
【図８】
2011030938.tif 000010
【図９】
2011030938.tif 000011